(57)【要約】【課題】処理負荷を軽減し、サービス性の向上を図る。【解決手段】局データ管理部１１ａは、呼処理部１２−１〜１２−ｎのそれぞれの識別番号と、マスク指定範囲に設定されるコード及びマスク指定外範囲に設定されるコードの全桁が記されたアドレスコードとを対応させたリストである呼処理用局データＤ１を管理する。信号終端部１１は、信号を受信した際、ワイルドカード化されているアドレスコードに対して、アドレスコードのマスク指定外範囲のコードを抽出する。そして、呼処理用局データＤ１を参照して、抽出したマスク指定外範囲のコードに対応する呼処理部番号を認識し、認識した呼処理部番号を持つ呼処理部に対して、該当するマスク指定範囲のコード及びマスク指定外範囲のコードを含む全桁のアドレスコードを送信する。【選択図】図１
2010226180.tif 000002
【特許請求の範囲】
【請求項１】
局データの管理を行う局データ管理部を含み、対向局を特定するためのアドレスコードを含む信号を受信して受信処理を行う信号終端部と、
複数の前記対向局の呼処理を行う複数の呼処理部と、
を備え、
ワイルドカードによって、前記アドレスコードの所定の範囲がマスクされ、前記アドレスコードの一部の範囲がマスクされたマスク指定範囲と、マスクされていない範囲であるマスク指定外範囲と、で構成された前記アドレスコードを含む前記信号が通知された場合、
前記局データ管理部は、前記呼処理部を識別する呼処理部番号と、前記マスク指定範囲に設定されるコード及び前記マスク指定外範囲に設定されるコードの全桁が記された前記アドレスコードと、を対応させて、どの前記呼処理部が、どの前記アドレスコードで指定される前記対向局の呼処理を行うかを示すリストである呼処理用局データを管理し、
前記信号終端部は、
前記信号を受信した際、ワイルドカード化されている前記アドレスコードに対して、前記アドレスコードの前記マスク指定外範囲のコードを抽出し、
前記呼処理用局データを参照して、抽出した前記マスク指定外範囲のコードに対応する前記呼処理部番号を認識し、認識した前記呼処理部番号を持つ前記呼処理部に対して、該当する前記マスク指定範囲のコード及び前記マスク指定外範囲のコードを含む全桁の前記アドレスコードを送信する、
ことを特徴とする通信装置。
【請求項２】
前記信号終端部は、前記対向局との呼処理負荷が重い場合は、前記マスク指定範囲に設定されるコード及び前記マスク指定外範囲に設定されるコードの全桁が記されたポイントコードに、複数の前記呼処理部番号を対応させて前記呼処理用局データを生成し、該当する複数の前記呼処理部で負荷分散処理を実行させることを特徴とする請求項１記載の通信装置。
【請求項３】
局データの管理を行う局データ管理部を含み、対向局を特定するためのアドレスコードを含む信号を受信して受信処理を行う信号終端部と、
複数の前記対向局の呼処理を行う複数の呼処理部と、
を備え、
ワイルドカードによって、前記アドレスコードの所定の範囲がマスクされ、前記アドレスコードの一部の範囲がマスクされたマスク指定範囲と、マスクされていない範囲であるマスク指定外範囲と、で構成された前記アドレスコードを含む前記信号が通知された場合、
前記局データ管理部は、
前記マスク指定外範囲のコードが記されて、自己が受付可能な前記アドレスコードのリストである終端用局データを管理し、
前記呼処理部を識別する呼処理部番号と、前記マスク指定範囲に設定されるコード及び前記マスク指定外範囲に設定されるコードの全桁が記された前記アドレスコードと、を対応させて、どの前記呼処理部が、どの前記アドレスコードで指定される前記対向局の呼処理を行うかを示すリストである呼処理用局データを管理し、
前記信号終端部は、
前記信号を受信した際、ワイルドカード化されている前記アドレスコードに対して、前記アドレスコードの前記マスク指定外範囲と前記終端用局データとの一致検索を行い、前記終端用局データと一致する前記マスク指定外範囲を抽出し、
前記呼処理用局データを参照して、抽出した前記マスク指定外範囲のコードに対応する前記呼処理部番号を認識し、認識した前記呼処理部番号を持つ前記呼処理部に対して、該当する前記マスク指定範囲のコード及び前記マスク指定外範囲のコードを含む全桁の前記アドレスコードを送信する、
ことを特徴とする通信装置。
【請求項４】
前記信号終端部は、前記対向局との呼処理負荷が重い場合は、前記マスク指定範囲に設定されるコード及び前記マスク指定外範囲に設定されるコードの全桁が記されたポイントコードに、複数の前記呼処理部番号を対応させて前記呼処理用局データを生成し、該当する複数の前記呼処理部で負荷分散処理を実行させることを特徴とする請求項３記載の通信装置。
【発明の詳細な説明】
【技術分野】
【０００１】
本発明は通信装置に関する。通信装置として、例えば、共通線信号方式により情報通信を行う通信装置が含まれる。
【背景技術】
【０００２】
電気通信における各種の共通線信号方式には、物理インタフェースに応じて、３つの共通線信号プロトコルが規定されている。ＳＴＭ（Synchronous Transfer Module）の場合では、ＭＴＰ３（Message Transfer Part 3）、ＡＴＭ（Asynchronous Transfer Mode）の場合では、ＭＴＰ３ｂ（Message Transfer Part 3b）、ＩＰ（Internet Protocol）の場合では、Ｍ３ＵＡ（Signaling System 7（SS7） Message Transfer Part 3（MTP3） User Adaptation Layer）である。いずれも信号網のノードである信号端局との間でメッセージ転送を規定するプロトコルである。
【０００３】
なお、ＳＴＭ網への適用を前提にＭＴＰ３がまず開発され、ＭＴＰ３に若干の変更を行い、ＡＴＭ網に適用できるようにしたのがＭＴＰ３ｂである。その後、ＭＴＰの信号転送に関する信頼性を維持しながら、ＩＰネットワークへの適用のためにＭ３ＵＡが開発された。
【０００４】
図１３は信号網の構成例を示す図である。共通線信号方式の信号網５は、信号端局５１、５２と中継局４１〜４６とで構成される。信号端局５１、５２は、電話交換局のように呼処理などの信号を終端する端局（ＳＥＰ：Signaling End Point）である。また、中継局（ＳＴＰ：Signaling Transfer Point）４１〜４６は、信号端局５１、５２に呼処理などの信号を転送するための局である。中継局４１〜４６は、ＩＰネットワークのルータに該当する。
【０００５】
ここで、共通線信号網のルーチング方式について、ＩＰネットワークのルーチング方式と比較して記すと、ＩＰネットワークでは、ＩＰアドレスを識別子にしてメッセージ転送が行われるのに対し、共通線網では、ＰＣ（Point Code）と呼ばれる識別子でメッセージ転送が行われる。ＰＣは、信号端局をユニークに特定する情報である。
【０００６】
また、ＩＰアドレスを定義するＩＰヘッダフィールドには、送信元ＩＰアドレス／宛て先ＩＰアドレスがあるように、共通線網の場合では、ＰＣを定義するフィールドはルーチング・ラベル・フィールドと呼ばれ、送信元ＰＣとしてＯＰＣ（Originating PC）、宛て先ＰＣとしてＤＰＣ（Destination PC）が設定される。
【０００７】
図１４はＰＣのフォーマットを示す図である。ＰＣは、国内標準の場合、１６ビットで定義され、主番号区域と副番号区域の２階層の番号体系になっている。
Ｍは、主番号区域（００〜３１）であり、関東圏とか東北圏といったように大きなエリアを指定可能な５ビットのコードである。例えば、固定電話網の場合、１０進数の下１桁が０３の場合は東京エリアを表す。
【０００８】
Ｓは、副番号区域（００〜１５）であり、主番号区域をさらにいくつかの領域に分割したときのそれぞれのサブエリアを指定する４ビットのコードである。固定電話網の場合、００、０１には中継局を割り当て、０２以降に信号端局の種別毎の値を割り当てる。
【０００９】
Ｕは、区域内ユニット番号（０００〜１２７）であり、１つの局を指定するコードである。特定の区域にある信号端局１つに対し、一意に７ビットのコードが割り当てられる。
上記のようなＭ、Ｓ、Ｕのそれぞれのコードによって、その信号端局が、どこの主番号区域のどこの副番号区域内に位置して、何番の信号端局であるのかを決定することができる。なお、ＰＣは、信号端局だけでなく、中継局に対しても割り当てられる。
【００１０】
ここで、網管理信号（回線障害、輻輳、障害回復等の情報を含む信号）の通知時にＰＣの範囲指定を行う際には、通常、ワイルドカードが使用される。ワイルドカードとは、ある情報を指定する際に使われる機能であって、一般的には、指定する語の中に、ある特殊文字を入れたり、またはマスクしたりすることで、任意の文字列を表すものである。
【００１１】
ＰＣの範囲指定にワイルドカードを使用する場合には、マスクが行われる。例えば、Ｍを０３と指定し、ＳとＵをマスクする（ＳとＵをワイルドカードにする）と、東京エリア内のすべての局を処理対象にすることができる。
【００１２】
または、東京エリア内のＳ＝００の副番号を持つ区域内のすべての局を処理対象にしたいならば、Ｍを０３、Ｓを００と指定し、Ｕをワイルドカードにすることになる（上記の共通線網におけるワイルドカード化は、ＩＰネットワークにおいて、ルータに特定のサブネットを設定して、そのサブネットに所属するＩＰアドレスを持つノードに転送できるようにすることに似ている）。
【００１３】
一方、信号網５では、信号リンクの障害発生、信号輻輳等が生じた際でも、信号ルート変更などを行ってサービスを継続できるように、隣接する局間では、障害・信号遅延を検出するため、定期的に試験信号を疎通させている。
【００１４】
図１５は試験信号の流れを示す図である。信号網５において、信号端局５１、５２及び中継局４１〜４６はそれぞれ、隣接する局に対して、定期的に試験信号を送出する。そして、隣接局からの試験信号を受信できるか否かを検出することで、リンクの障害（試験信号の疎通状態）を検出する。
【００１５】
なお、図１５において、信号端局５２及び中継局４３、４６は、東京エリア（Ｍ＝０３）に位置している。また、信号端局５２の副番号区域（Ｓ）と区域内ユニット番号（Ｕ）がそれぞれ０２、００１であり、中継局４３の副番号区域（Ｓ）と区域内ユニット番号（Ｕ）がそれぞれ００、００１であり、中継局４６の副番号区域（Ｓ）と区域内ユニット番号（Ｕ）がそれぞれ００、００２となっている。
【００１６】
図１６は障害が発生したときの信号網を示す図である。信号網５のリンクＬ１、Ｌ２に回線障害が発生したとする。中継局４２は、中継局４３から送出された試験信号を受信できないので、リンクＬ１に障害が発生したことを認識する。また、中継局４５は、中継局４６から送出された試験信号を受信できないので、リンクＬ２に障害が発生したことを認識する。すると、中継局４２、４５はそれぞれ、障害発生によりデータ転送を禁止するための転送禁止信号（網管理信号の一種）を隣接局に送信する。
【００１７】
図１７は転送禁止信号の送信動作を示す図である。中継局４２は、中継局４１、４５に向けて転送禁止信号を送信し、中継局４５は、中継局４２、４４に向けて転送禁止信号を送信する。転送禁止信号は、最終的に信号端局５１へ転送される。
【００１８】
また、転送禁止信号は、どのエリアが接続不能になったかをＰＣで通知する。このとき、対象局情報として、すべての局のＰＣを記述するのは効率的ではないため、ワイルドカードが利用される。
【００１９】
この例では、上記の障害発生によって、東京エリア内のすべての局に対して接続不能となるならば、中継局４２、４５では、Ｍ＝００３、Ｓ＝××、Ｕ＝××（×はマスクを意味する）と設定することになり、このような記述がなされたＰＣを含む転送禁止信号が転送されることになる。
【００２０】
図１８は転送禁止信号の設定値を示す図である。主番号区域（Ｍ）が０３を示すすべての局に対して信号が転送できなくなったことを検出した場合、ＰＣは、ＳとＵがワイルドカードとなってＭのみ指定される。
【００２１】
転送禁止信号の対象局設定は、ＭＴＰ３／ＭＴＰ３ｂ（ＳＴＭ／ＡＴＭ）の場合は、信号パターンｐ１となり、Ｍ３ＵＡ（ＩＰ）の場合は、信号パターンｐ２となる。
図中の“指定範囲”フィールドには、ワイルドカードとすべきビット数が記される。ここの例では、ワイルドカードを使用することにより、Ｍ＝０３を示す５ビットを除いた１１ビット（Ｕ：７ビット、Ｓ：４ビット）を無効とするので、“指定範囲”フィールドは１１と記される。
【００２２】
図１９は各プロトコルの網管理信号の一覧を示す図である。網管理信号には、上述した転送禁止信号の他に、転送許可信号、転送制限信号、ルートセット試験信号、転送統制信号がある。また、プロトコル毎に名称があって、各信号を特定するための識別コードも割り当てられている。
【００２３】
ちなみに、上述の転送禁止信号では、ＭＴＰ３／ＭＴＰ３ｂの場合、ＴＦＰ（Transfer Prohibited）メッセージと呼ばれ、識別コードは0x14であり、Ｍ３ＵＡの場合は、ＤＵＮＡ（Destination Unavailable）メッセージと呼ばれ、識別コードは0x0001となっている。
【００２４】
従来技術として、信号中継局に対して割り当てる信号局コードの数を少なくして、共通線信号方式の信号局コードの不足を解消した技術が提案されている（特許文献１参照）。
【先行技術文献】
【特許文献】
【００２５】
【特許文献１】特開２００５−１８４４６７号公報（段落番号〔００１８〕〜〔００２２〕、第１図）
【発明の概要】
【発明が解決しようとする課題】
【００２６】
上記で説明した信号端局は、共通線信号方式のメッセージ終端を行う機能と、複数の呼処理を行う機能とを有している。図２０は信号端局の構成を示す図である。信号端局５１は、シグナリング部５１ａと、呼処理部５１ｂ−１〜５１ｂ−ｎとから構成される。
【００２７】
シグナリング部５１ａは、Ｎｏ．７共通線信号方式の各種メッセージの終端処理（シグナリング処理）を行う。呼処理部５１ｂ−１〜５１ｂ−ｎは、通信対象の信号端局と対向して、該当信号端局の呼処理を行う。
【００２８】
ここで、シグナリング部５１ａが、ワイルドカードによって指定された対向局の網管理信号（障害／輻輳／回復）を受信して、配下の呼処理部５１ｂ−１〜５１ｂ−ｎに転送する場合、従来では、ワイルドカード化されたＰＣのマスク指定範囲をすべて展開して転送する方法が行われていた。
【００２９】
図２１はマスク指定範囲が展開されたＰＣを転送する動作を示す図である。シグナリング部５１ａは、受信したワイルドカード化された網管理信号を、マスク指定範囲を展開して、該当区域担当の呼処理部それぞれへ転送する。
【００３０】
すなわち、シグナリング部５１ａが、ワイルドカード化されているＰＣのマスク部分をすべてビット展開して、Ｍ−Ｓ−Ｕすべてのビットを表記して（Ｍ−Ｓ−Ｕ展開）、該当の呼処理部へ転送する。
【００３１】
例えば、受信した網管理信号が、Ｍ−Ｓの副番号区域指定であり、Ｕのみがマスクされていたようなときは、１２８メッセージ（Ｕ＝７ビット→２7）に展開して、該当区域担当の呼処理部（１台あたり）に転送することになる。
【００３２】
しかし、このような方法では、シグナリング部５１ａの処理が増大し、シグナリング部５１ａと呼処理部５１ｂ−１〜５１ｂ−ｎとの間の通信量が増加するといった問題があった。
【００３３】
また、呼処理部５１ｂ−１〜５１ｂ−ｎでは、自身の担当すべき対向ＰＣの情報以外をフィルタリングする必要が生じるので、フィルタ機能を追加したりしなければならなかった。
【００３４】
ワイルドカード指定で網管理信号を受信して、受信内容が、大規模な障害通知であったような場合には、信号端局側では、すみやかに障害箇所を認識して、対応措置を即時にとることが求められるが、上記のような方法では、多大な処理時間がかかり、サービス提供に大きな支障が出る恐れがあった。
【００３５】
また、従来の他の方法として、シグナリング部５１ａがワイルドカードのまま呼処理部５１ｂ−１〜５１ｂ−ｎへ、網管理信号を転送する方法も行われていた。すなわち、シグナリング部５１ａは、ワイルドカードのまま障害通知を呼処理部５１ｂ−１〜５１ｂ−ｎへ転送し、呼処理部５１ｂ−１〜５１ｂ−ｎが、Ｍ−Ｓ−Ｕ形式に展開して、自身の処理対象であるＰＣをフィルタリングして抽出するものである。
【００３６】
この場合では、シグナリング部５１ａの負荷は軽減され、シグナリング部５１ａと呼処理部５１ｂ−１〜５１ｂ−ｎ間の通信量も軽減されるが、呼処理部５１ｂ−１〜５１ｂ−ｎの負荷が重くなり、フィルタ処理を行うことには変わりはない。このため、全体的な処理負荷を軽減することにはならず、結局、ワイルドカードが使用された網管理信号に対して、効率的な受信処理が行われてはいなかった。
【００３７】
本発明はこのような点に鑑みてなされたものであり、網管理信号の処理負荷を軽減し、サービス性の向上を図った通信装置を提供することを目的とする。
【課題を解決するための手段】
【００３８】
上記課題を解決するために、通信装置が提供される。この通信装置は、局データの管理を行う局データ管理部を含み、対向局を特定するためのアドレスコードを含む信号を受信して受信処理を行う信号終端部と、複数の前記対向局の呼処理を行う複数の呼処理部とを備える。
【００３９】
ここで、ワイルドカードによって、アドレスコードの所定の範囲がマスクされ、アドレスコードの一部の範囲がマスクされたマスク指定範囲と、マスクされていない範囲であるマスク指定外範囲と、で構成されたアドレスコードを含む信号が通知された場合、局データ管理部は、呼処理部を識別する呼処理部番号と、マスク指定範囲に設定されるコード及びマスク指定外範囲に設定されるコードの全桁が記されたアドレスコードと、を対応させて、どの呼処理部が、どのアドレスコードで指定される対向局の呼処理を行うかを示すリストである呼処理用局データを管理する。
【００４０】
そして、信号終端部は、信号を受信した際、ワイルドカード化されているアドレスコードに対して、アドレスコードのマスク指定外範囲のコードを抽出し、呼処理用局データを参照して、抽出したマスク指定外範囲のコードに対応する呼処理部番号を認識し、認識した呼処理部番号を持つ呼処理部に対して、該当するマスク指定範囲のコード及びマスク指定外範囲のコードを含む全桁のアドレスコードを送信する。
【発明の効果】
【００４１】
処理負荷を軽減し、サービス性の向上を図ることが可能になる。
【図面の簡単な説明】
【００４２】
【図１】通信装置の構成例を示す図である。
【図２】共通線信号網の構成例を示す図である。
【図３】信号フォーマットを示す図である。
【図４】信号フォーマットを示す図である。
【図５】信号フォーマットを示す図である。
【図６】呼処理用局データを示す図である。
【図７】マスク指定外範囲のコード抽出処理を示す図である。
【図８】呼処理用局データの中で該当する呼処理部番号を示す図である。
【図９】シグナリング部から呼処理部へのＰＣの転送の様子を示す図である。
【図１０】変形例の信号端局の構成例を示す図である。
【図１１】終端用局データを示す図である。
【図１２】関連インデックスから呼処理用局データを検索して該当ＰＣを抽出する様子を示す図である。
【図１３】信号網の構成例を示す図である。
【図１４】ＰＣのフォーマットを示す図である。
【図１５】試験信号の流れを示す図である。
【図１６】障害が発生したときの信号網を示す図である。
【図１７】転送禁止信号の送信動作を示す図である。
【図１８】転送禁止信号の設定値を示す図である。
【図１９】各プロトコルの網管理信号の一覧を示す図である。
【図２０】信号端局の構成を示す図である。
【図２１】マスク指定範囲が展開されたＰＣを転送する動作を示す図である。
【発明を実施するための形態】
【００４３】
以下、本発明の実施の形態を図面を参照して説明する。図１は通信装置の構成例を示す図である。通信装置１０は、信号終端部１１と呼処理部１２−１〜１２−ｎを備える。
信号終端部１１は、局データ管理部１１ａを含み、対向局を特定するためのアドレス情報であるアドレスコードを含む信号（網管理信号）を受信して受信処理を行う。呼処理部１２−１〜１２−ｎは、複数の対向局の呼処理を行う。以下、アドレスコードをＰＣ（ポイントコード）と呼ぶ。
【００４４】
ここで、ワイルドカードによって、ＰＣは、所定の範囲がマスクされ、ＰＣの一部の範囲がマスクされたマスク指定範囲と、マスクされていない範囲であるマスク指定外範囲と、で構成されているものとする。そして、このようなワイルドカード化されたＰＣを含む網管理信号が通信装置１０に通知されたとする。
【００４５】
局データ管理部１１ａは、呼処理部１２−１〜１２−ｎのそれぞれの識別番号（呼処理部番号）と、マスク指定範囲に設定されるコード及びマスク指定外範囲に設定されるコードの全桁が記されたＰＣと、を対応させて、どの呼処理部が、どのＰＣで指定される対向局の呼処理を行うかを示すリストである呼処理用局データＤ１を管理する。
【００４６】
信号終端部１１は、網管理信号を受信した際、ワイルドカード化されているＰＣに対して、ＰＣのマスク指定外範囲のコードを抽出する。そして、呼処理用局データＤ１を参照して、抽出したマスク指定外範囲のコードに対応する呼処理部番号を認識し、認識した呼処理部番号を持つ呼処理部に対して、該当するマスク指定範囲のコード及びマスク指定外範囲のコードを含む全桁のＰＣを送信する。
【００４７】
次に通信装置１０を共通線信号方式の受信を行う信号端局に適用した場合について以下詳しく説明する。図２は共通線信号網の構成例を示す図である。信号端局１０ａ（図１の通信装置１０に該当）は、共通線信号網（Ｎｏ．７共通線信号網）３を介して、対向局群ｇ１と接続して通信を行う。Ｎｏ．７共通線信号網３には、複数の中継局３０が含まれ、対向局群ｇ１には、信号端局２０−１〜２０−ｍが含まれる。
【００４８】
ここで、共通線信号網３の物理インタフェース（ＭＴＰ３／ＭＴＰ３ｂ／Ｍ３ＵＡ）において、回線障害、輻輳、回復などの事象が発生し、これら事象を通知するための網管理信号が、中継局３０で生成されて、中継局３０から信号端局１０ａに向けて流れるとする。この場合、回線障害などを発見した中継局３０は、信号端局１０ａと対向局群ｇ１との疎通性を、ワイルドカードを利用した網管理信号で通知できる。
【００４９】
信号端局１０ａでは、対向局群ｇ１と呼処理を行っているときに、中継局３０で障害発生／回復が検知されると、中継局３０から送信されたワイルドカード化された網管理信号を受信する。
【００５０】
信号端局１０ａは、シグナリング部１１（図１の信号終端部１１に該当）と、呼処理部１２−１〜１２−ｎと、データ保持部１３とから構成される。シグナリング部１１は、局データ管理部１１ａを有し、局データ管理部１１ａは、呼処理用局データＤ１の管理を行う。
【００５１】
シグナリング部１１は、Ｎｏ．７共通線信号方式の各種メッセージの終端処理（シグナリング処理）を行う。呼処理部１２−１〜１２−ｎは、通信対象の信号端局２０−１〜２０−ｍと対向して、該当信号端局の呼処理を行う。データ保持部１３は、メンテナンスサーバであって、信号終端処理及び呼処理に必要な各種データを保持する。
【００５２】
ここで、呼処理部１２−１〜１２−ｎは、負荷分散処理を行うことが可能であるため、システム部：呼処理部は、１：ｎ構成となる。また、呼処理部１２−１〜１２−ｎは、対向する信号端局の呼処理の負荷が小さければ、その信号端局に対しては１つまたは少ない数の呼処理部のみで対応したり、または対向する信号端局の呼処理の負荷が大きければ、その信号端局に対してより多くの呼処理部で対応したりする。
【００５３】
例えば、信号端局１０ａと信号端局２０−１とが通信を行っているときに、信号端局２０−１の呼処理負荷が小さいような場合には、呼処理部１２−１のみで、信号端局２０−１の呼処理を行ったりする。または、信号端局２０−１の呼処理負荷が大きいような場合には、呼処理部１２−１、１２−２の２台で、信号端局２０−１の呼処理を行ったりする。このように、呼処理部は、信号端局に対する呼処理の負荷によって、対応する処理台数を増減可能である。
【００５４】
図３、図４、図５は信号フォーマットを示す図である。信号端局１０ａと対向局群ｇ１とでやりとりされるデータ及び信号のフォーマットを示しており、図３は、ＭＴＰ３（ＳＴＭ）の場合の信号フォーマットを示しており、図４はＭＴＰ３ｂ（ＡＴＭ）の場合の信号フォーマットを示している。図５はＭ３ＵＡの信号フォーマットを示している。
【００５５】
次に局データ管理部１１ａで管理される呼処理用局データＤ１について説明する。図６は呼処理用局データＤ１を示す図である。呼処理用局データＤ１は、呼処理対象の対向局のＰＣが記載され、対向局を選択する際に、一意のＰＣを指定するための局データである。
【００５６】
呼処理用局データＤ１は、属性として、インデックス、対向する信号端局のＰＣ（Ｍ、Ｓ、Ｕの各指定範囲）、呼処理部番号、上位プロトコル種別、回線番号指定範囲の各項目から構成される。
【００５７】
呼処理部番号とは、呼処理部１２−１〜１２−ｎをそれぞれ特定するための識別番号である。上位プロトコル種別とは、各呼処理部がどのようなプロトコルをサポートするかをコード化したものである。回線番号範囲指定とは、呼処理を行う際の処理対象の回線番号が記入されたものである。
【００５８】
次にワイルドカード化された網管理信号を受信したときの信号端局１０ａの動作について説明する。ＰＣが、ワイルドカードによって、対向局を一意に特定する対向局指定範囲（Ｕ指定範囲）がマスクされ、対向局が存在する区域を特定する区域指定範囲（Ｍ−Ｓ指定範囲）のみが示されて通知された場合を考える。なお、この場合、Ｕ指定範囲は、マスク指定範囲に該当し、Ｍ−Ｓ指定範囲は、マスク指定外範囲に該当する。
【００５９】
シグナリング部１１は、ワイルドカード化されたＰＣを含む網管理信号を受信すると、そのＰＣからマスク指定外範囲のコード抽出を行う。図７はマスク指定外範囲のコード抽出処理を示す図である。Ｍ指定範囲に00101のコードが設定され、Ｓ指定範囲に0011のコードが設定され、Ｕ指定範囲の７ビットがマスクされたＰＣを受信したとする。
【００６０】
一方、シグナリング部１１は、Ｍ指定範囲に該当する５ビットに11111、Ｓ指定範囲に該当する４ビットに1111、Ｕ指定範囲に該当する７ビットに0000000のビットデータを持つ論理積条件データを設定する。
【００６１】
そして、シグナリング部１１は、受信したＰＣと、論理積条件データとの論理積（ＡＮＤ）をとって、“１”が立つデータを抽出し、その抽出結果をマスク指定外範囲のコード値と認識する。この例では、00101 0011を抽出することになり、このコード値がマスク指定外範囲と認識する。
【００６２】
なお、上記では、Ｕ指定範囲の７ビットがマスク指定範囲となっているため、論理積条件データをＵ指定範囲に該当するコードをALL“０”とし、Ｍ−Ｓ指定範囲に該当するコードをALL“１”として論理積をとった。
【００６３】
他の例としては、Ｓ−Ｕ指定範囲の１１ビットまでマスク指定範囲されている場合は、論理積条件データをＳ−Ｕ指定範囲に該当するコードをALL“０”とし、Ｍ指定範囲に該当するコードをALL“１”とする。
【００６４】
また、マスク指定範囲は、任意のビット単位で指定できるとすると、例えば、Ｕ指定範囲の上位３ビットをマスク指定範囲としたときは、この指定範囲に該当する部分をALL“０”とし、他の指定範囲すべてをALL“１”とする。このように、論理積条件データはビット単位で任意に値を設定可能である。
【００６５】
上記のマスク指定範囲のコード抽出処理により、Ｍ指定範囲が00101、Ｓ指定範囲が0011と抽出されたとき、シグナリング部１１は、次に呼処理用局データＤ１を参照して、抽出したマスク指定外範囲のコードに対応する呼処理部番号を認識する。
【００６６】
図８は呼処理用局データＤ１の中で該当する呼処理部番号を示す図である。信号端局１０ａでは、Ｍ＝00101、Ｓ＝0011の区域に存在する信号端局からの信号を処理することになり、呼処理用局データＤ１において、Ｍ＝00101、Ｓ＝0011の呼処理を担当する呼処理部は、呼処理部番号が０、１、４、１２となっている。
【００６７】
したがって、Ｍ＝00101、Ｓ＝0011の区域内に存在する対向局群ｇ１内の信号端局に対して、呼処理部＃０（呼処理部番号＝０の呼処理部）は、Ｕ＝0000000のコードを持つ信号端局の呼処理を行い、呼処理部＃１（呼処理部番号＝１の呼処理部）は、Ｕ＝0000010のコードを持つ信号端局の呼処理を行うことになる。
【００６８】
また、呼処理部＃４（呼処理部番号＝４の呼処理部）は、Ｕ＝0000001のコードを持つ信号端局と、Ｕ＝0001001のコードを持つ信号端局と呼処理を行い、呼処理部＃１２（呼処理部番号＝１２の呼処理部）は、Ｕ＝1000000のコードを持つ信号端局の呼処理を行うことになる。
【００６９】
図９はシグナリング部１１から呼処理部へのＰＣの転送の様子を示す図である。シグナリング部１１は、呼処理部＃０に対して、Ｍ＝00101、Ｓ＝0011、Ｕ＝0000000の情報を有する、Ｍ／Ｓ／Ｕ全桁のビットが記されたＰＣを転送する。また、呼処理部＃１に対して、Ｍ＝00101、Ｓ＝0011、Ｕ＝0000010の情報を有する、Ｍ／Ｓ／Ｕ全桁のビットが記されたＰＣを転送する。さらに、呼処理部＃１２に対して、Ｍ＝00101、Ｓ＝0011、Ｕ＝1000000の情報を有する、Ｍ／Ｓ／Ｕ全桁のビットが記されたＰＣを転送する。
【００７０】
なお、呼処理部＃４に対しては、呼処理部番号＝４が付された２台の呼処理部が呼処理を行うことになるので、シグナリング部１１は、２台のうちの一方の呼処理部＃４に対して、Ｍ＝00101、Ｓ＝0011、Ｕ＝0000001の情報を有する、Ｍ／Ｓ／Ｕ全桁のビットが記されたＰＣを転送する。さらに、他方の呼処理部＃４に対して、Ｍ＝00101、Ｓ＝0011、Ｕ＝0001001の情報を有する、Ｍ／Ｓ／Ｕ全桁のビットが記されたＰＣを転送する。
【００７１】
以上説明したように、対向局に関する網管理信号を受信した信号端局１０ａのシグナリング部１１が、呼処理部に通知するにあたり、網管理信号のワイルドカードから、呼処理用局データＤ１にもとづき対象局のＰＣを直接引き出して、呼処理部各々がサービスする対向局のＰＣのみを転送する構成にした。このような構成にすることにより、網管理信号の処理負荷を軽減することができ、サービス性の向上を図ることが可能になる。
【００７２】
また、対向局との呼処理負荷が重い場合は、マスク指定範囲に設定されるコード及びマスク指定外範囲に設定されるコードの全桁が記されたＰＣに、複数の呼処理部番号を対応させて呼処理用局データＤ１を生成し、該当する複数の呼処理部で負荷分散処理を実行させる構成とした。
【００７３】
このように、呼処理用局データＤ１を利用して、呼処理の負荷分散設定を行うこともできるので、効率的に負荷分散を実行することができ、運用品質の向上を図ることが可能になる。
【００７４】
次に変形例について説明する。図１０は変形例の信号端局の構成例を示す図である。信号端局１０ｂは、シグナリング部１１−１と、呼処理部１２−１〜１２−ｎと、データ保持部１３とから構成される。シグナリング部１１−１は、局データ管理部１１ｂを含み、局データ管理部１１ｂは、呼処理用局データＤ１と終端用局データＤ２を管理する。
【００７５】
次にワイルドカードで通知された網管理信号を受信したときの信号端局１０ｂの動作について説明する。ＰＣが、ワイルドカードによって、対向局を一意に特定する対向局指定範囲（Ｕ指定範囲）がマスクされ、対向局が存在する区域を特定する区域指定範囲（Ｍ−Ｓ指定範囲）のみが示されて通知された場合を考える。
【００７６】
シグナリング部１１−１は、ワイルドカード化されたＰＣを含む網管理信号を受信すると、まず、そのＰＣからマスク指定外範囲のコード抽出を行う。なお、コード抽出処理は、図７で上述した機能と同じなので説明は省略する。その後、終端用局データＤ２と呼処理用局データＤ１を用いて、呼処理部へ転送すべき全桁指定のＰＣを検索する。
【００７７】
図１１は終端用局データＤ２を示す図である。終端用局データＤ２は、自己（信号端局１０ｂ）が受け付け可能なＰＣのリストである。終端用局データＤ２には、対向局２０−１〜２０−ｍのＰＣ、すなわち、対向局２０−１〜２０−ｍの主番号区域（Ｍ）、副番号区域（Ｓ）及び区域内ユニット番号（Ｕ）が登録される。
【００７８】
ここで、ＰＣを登録する際には、通常は、Ｍ−Ｓ−Ｕの全桁指定を行わないのが一般的である。なぜなら、全桁指定を行うと、対向区域にある局の増減設を行う毎に、終端用局データＤ２の登録値を変更することになって煩雑になるからである（要するに、Ｕまで指定して登録しておくと、局の増減設に応じて、Ｕの登録値まで逐次変更しなければならない）。
【００７９】
そのため、終端用局データＤ２は、対向の区域単位で登録することになる。すなわち、Ｍ指定（主番号区域のみの指定）で登録したり、Ｍ−Ｓ指定（副番号区域までの指定）で登録したりする。例えば、図１１の場合では、インデックス＝000、001は、Ｍ−Ｓ指定で登録しており、インデックス＝002は、Ｍ指定で登録している。
【００８０】
また、終端用局データＤ２には、呼処理用局データＤ１のインデックスに関連付けた関連インデックスが登録される。関連インデックスには、終端用局データＤ２に記載の対向局ＰＣと、呼処理用局データＤ１に記載の対向局ＰＣとが共通する呼処理用局データＤ１のインデックスが記載される。
【００８１】
ここで、シグナリング部１１−１は、コード抽出処理によって、Ｍ＝00101、Ｓ＝0011を抽出したとすると、その後、終端用局データＤ２を参照して、Ｍ＝00101、Ｓ＝0011が存在するレコードを検索し、そのレコードの関連インデックスを抽出する。
【００８２】
図１１の終端用局データＤ２から、Ｍ＝00101、Ｓ＝0011が存在するレコードは、最上段のレコード（index＝000）に該当し、抽出される関連インデックスは000、001、002、003、095となる。
【００８３】
図１２は関連インデックスから呼処理用局データＤ１を検索して該当ＰＣを抽出する様子を示す図である。シグナリング部１１−１は、終端用局データＤ２から関連インデックスを抽出すると、呼処理用局データＤ１を参照して、その関連インデックスに該当するレコードを検索する。この例では、図１２中の点線枠で囲まれたレコードが検索されることになる。
【００８４】
その後、シグナリング部１１−１は、呼処理部番号を認識し、認識した呼処理部番号を持つ呼処理部に対して、該当するマスク指定範囲のコード及びマスク指定外範囲のコードを含む全桁のＰＣを送信することになる（図９の動作と同様なので説明は省略する）。
【００８５】
このように、変形例の場合では、網管理信号を受信したときに、終端用局データＤ２を用いて、自身が受付可能か否かを一旦判断し、その後、呼処理用局データＤ１を用いたＰＣ転送制御を行うので、信頼性の向上を図ることが可能になる。
【００８６】
以上説明したように、本発明によれば、対向局に関する網管理信号をシグナリング部が、呼処理部へ通知するにあたり、ワイルドカード化された網管理信号から、呼処理用局データＤ１により対象局を引き出して、各呼処理部毎の対象とする対向局を抽出し、呼処理部各々がサービスする対向局のＰＣを転送することにした。
【００８７】
これにより、シグナリング部の処理負荷が軽減し、また、呼処理部でのフィルタ処理も不要となり、さらにシグナリング部と呼処理部との間の通信量も低減することになる。このため、ワイルドカード化された網管理信号を受信した場合に、全体的な受信処理負荷を軽減することができる。
【００８８】
また、共通線信号網において、重大な障害が発生したような場合であっても、即時に該当の呼処理部に対して、障害通知として信号疎通情報（信号端局１０ａと対向局群ｇ１との信号疎通状態を示す情報）を送信することができるので、サービス性の向上を図ることが可能になる。
【符号の説明】
【００８９】
１０  通信装置
１１  信号終端部
１１ａ  局データ管理部
Ｄ１  呼処理用局データ
１２−１〜１２−ｎ  呼処理部
【図１】
2010226180.tif 000003
【図２】
2010226180.tif 000004
【図３】
2010226180.tif 000005
【図４】
2010226180.tif 000006
【図５】
2010226180.tif 000007
【図６】
2010226180.tif 000008
【図７】
2010226180.tif 000009
【図８】
2010226180.tif 000010
【図９】
2010226180.tif 000011
【図１０】
2010226180.tif 000012
【図１１】
2010226180.tif 000013
【図１２】
2010226180.tif 000014
【図１３】
2010226180.tif 000015
【図１４】
2010226180.tif 000016
【図１５】
2010226180.tif 000017
【図１６】
2010226180.tif 000018
【図１７】
2010226180.tif 000019
【図１８】
2010226180.tif 000020
【図１９】
2010226180.tif 000021
【図２０】
2010226180.tif 000022
【図２１】
2010226180.tif 000023